(57)【要約】【課題】スクリーンによって分けられた空間の温度の調節を補助することの可能なプリーツスクリーンを提供する。【解決手段】蓄熱性を有して中間レール１３が下端に連結される蓄熱スクリーン１２と、遮熱性を有してボトムレール１５が下端に連結される遮熱スクリーン１４と、中間レール１３とボトムレール１５とを各別に昇降させて、蓄熱スクリーン１２を広げる状態と遮熱スクリーン１４を広げる状態とを各別に有する昇降装置とを備える。【選択図】図３
2014224374.tif 000002
【特許請求の範囲】
【請求項１】
蓄熱性を有して第１レールが下端に連結される蓄熱スクリーンと、
遮熱性を有して第２レールが下端に連結される遮熱スクリーンと、
前記第１レールと前記第２レールとを各別に昇降させて、前記蓄熱スクリーンを広げる状態と前記遮熱スクリーンを広げる状態とを各別に有する昇降装置と、
を備えるプリーツスクリーン。
【請求項２】
前記第１レールは、中間レールとボトムレールとのいずれか一方であり、
前記第２レールは、前記中間レールと前記ボトムレールのうち前記第１レールとは異なるレールである
請求項１に記載のプリーツスクリーン。
【請求項３】
前記第１レールは、第１ボトムレールであり、
前記第２レールは、第２ボトムレールである
請求項１に記載のプリーツスクリーン。
【請求項４】
前記蓄熱スクリーンは、縦糸と横糸とを備え、
前記蓄熱スクリーンの縦糸、および、前記蓄熱スクリーンの横糸の少なくとも一方は、蓄熱繊維である
請求項１から３のいずれか１つに記載のプリーツスクリーン。
【請求項５】
前記蓄熱スクリーンは、
前記蓄熱スクリーンの横糸として蓄熱繊維を備え、かつ、
前記蓄熱スクリーンの縦糸として前記蓄熱繊維以外の糸を備える
請求項４に記載のプリーツスクリーン。
【請求項６】
前記遮熱スクリーンは、縦糸と横糸とを備え、
前記遮熱スクリーンの縦糸、および、前記遮熱スクリーンの横糸の少なくとも一方は、遮熱繊維である
請求項１から５のいずれか１つに記載のプリーツスクリーン。
【請求項７】
前記遮熱スクリーンは、
前記遮熱スクリーンの縦糸、および、前記遮熱スクリーンの横糸として遮熱繊維を備える
請求項６に記載のプリーツスクリーン。
【請求項８】
前記蓄熱スクリーンは、
前記蓄熱スクリーンの横糸として蓄熱繊維を備え、かつ、
前記蓄熱スクリーンの縦糸として前記遮熱繊維を備える
請求項７に記載のプリーツスクリーン。
【発明の詳細な説明】
【技術分野】
【０００１】
本開示は、互いに異なるスクリーンを備えるプリーツスクリーンに関する。
【背景技術】
【０００２】
プリーツスクリーンのヘッドボックスには、上下方向に沿って繰り返される複数のひだを有するスクリーンが吊下げられている。スクリーンの下端には、ボトムレールが連結され、昇降装置によるボトムレールの昇降によって、スクリーンでの折り畳まれる量が定められる。そして、スクリーンの全てが上下方向に沿って延ばされた状態と、スクリーンの全てが上下方向に沿って折り畳まれた状態との間で、スクリーンを通した採光量が調整される（例えば、特許文献１参照）。
【先行技術文献】
【特許文献】
【０００３】
【特許文献１】特開２００８−２６６９７９号公報
【発明の概要】
【発明が解決しようとする課題】
【０００４】
ところで、プリーツスクリーンは、窓装飾や間仕切りとして設置されるため、通常、プリーツスクリーンに求められる機能は、採光量を調整する調光が主である。そのため、プリーツスクリーンによって区画された空間の温度を保つことに関し、一般に、プリーツスクリーンは考慮されておらず、プリーツスクリーンは、スクリーンを境界とする２つの空間の間で熱を伝えるものとなっている。例えば、プリーツスクリーンは、窓装飾として設置されて、室内空間の温度が室外空間の温度よりも低いときに、室外空間から室外空間に熱を伝える。反対に、室内空間の温度が室外空間の温度よりも高いときには、室内空間から室外空間に熱を伝える。
【０００５】
一方で、近年では、居住空間などの温度の調節に必要とされるエネルギーを抑えることが進められている。そして、このような状況から、１つの空間を２つに分けるプリーツスクリーンに対しても、こうした温度の調節を補助する機能が望まれている。
【０００６】
本開示の目的は、スクリーンによって分けられた空間の温度の調節を補助することの可能なプリーツスクリーンを提供することである。
【課題を解決するための手段】
【０００７】
本開示におけるプリーツスクリーンは、蓄熱性を有して第１レールが下端に連結される蓄熱スクリーンと、遮熱性を有して第２レールが下端に連結される遮熱スクリーンとを備える。そして、前記第１レールと前記第２レールとを各別に昇降させて、前記蓄熱スクリーンを広げる状態と前記遮熱スクリーンを広げる状態とを各別に有する昇降装置をさらに備える。
【０００８】
上記プリーツスクリーンにおいて、前記第１レールは、中間レールとボトムレールとのいずれか一方であり、前記第２レールは、前記中間レールと前記ボトムレールのうち前記第１レールとは異なるレールであることが好ましい。
【０００９】
上記プリーツスクリーンにおいて、前記第１レールは、第１ボトムレールであり、前記第２レールは、第２ボトムレールであることが好ましい。
上記プリーツスクリーンにおいて、前記第１レールは、ボトムレールであり、前記第２レールは、中間レールであることが好ましい。
【００１０】
上記プリーツスクリーンにおいて、前記蓄熱スクリーンは、縦糸と横糸とを備え、前記蓄熱スクリーンの縦糸、および、前記蓄熱スクリーンの横糸の少なくとも一方は、蓄熱繊維であることが好ましい。
【００１１】
上記プリーツスクリーンにおいて、前記蓄熱スクリーンは、前記蓄熱スクリーンの横糸として蓄熱繊維を備え、かつ、蓄熱スクリーンの縦糸として前記蓄熱繊維以外の糸を備えることが好ましい。
【００１２】
上記プリーツスクリーンにおいて、前記遮熱スクリーンは、縦糸と横糸とを備え、前記遮熱スクリーンの縦糸、および、前記遮熱スクリーンの横糸の少なくとも一方は、遮熱繊維であることが好ましい。
【００１３】
上記プリーツスクリーンにおいて、前記遮熱スクリーンは、前記遮熱スクリーンの縦糸、および、前記遮熱スクリーンの横糸として遮熱繊維を備えることが好ましい。
上記プリーツスクリーンにおいて、前記蓄熱スクリーンは、前記蓄熱スクリーンの横糸として蓄熱繊維を備え、かつ、前記蓄熱スクリーンの縦糸として前記遮熱繊維を備えることが好ましい。
【発明の効果】
【００１４】
本開示におけるプリーツスクリーンによれば、スクリーンによって分けられた空間の温度の調節を補助することが可能となる。
【図面の簡単な説明】
【００１５】
【図１】本開示におけるプリーツスクリーンの正面構造を示す正面図であり、蓄熱スクリーンと遮熱スクリーンとが上下方向に沿って延ばされた状態を示す図である。
【図２】一実施形態におけるスクリーンの一部を拡大して示す部分拡大図であり、スクリーンの織編組織の一例である平編の織編組織を示す図である。
【図３】一実施形態におけるブリーツスクリーンの作用を示す作用図であり、蓄熱スクリーンが上下方向に沿って延ばされ、かつ、遮熱スクリーンが折り畳まれた蓄熱状態を示す図である。
【図４】一実施形態におけるブリーツスクリーンの作用を示す作用図であり、プリーツスクリーンが蓄熱状態であるときのスクリーンと窓との間における熱の伝達を模式的に示す図である。
【図５】一実施形態におけるブリーツスクリーンの作用を示す作用図であり、蓄熱スクリーンが折り畳まれ、かつ、遮熱スクリーンが上下方向に沿って延ばされた遮熱状態を示す図である。
【図６】変形例におけるブリーツスクリーンの側面構造を示す側面図である。
【発明を実施するための形態】
【００１６】
本開示におけるプリーツスクリーンの一実施形態を図１から図５を参照して説明する。
［プリーツスクリーンの構成］
図１に示されるように、プリーツスクリーン１０のヘッドボックス１１には、上下方向に連なる複数のひだを有する蓄熱スクリーン１２が吊り下げられ、蓄熱スクリーン１２の下端には、中間レール１３が取り付けられている。中間レール１３には、上下方向に連なる複数のひだを有する遮熱スクリーン１４が吊り下げられ、遮熱スクリーン１４の下端には、ボトムレール１５が取り付けられている。
【００１７】
ヘッドボックス１１内に収容される昇降装置１１Ａには、ヘッドボックス１１の長手方向に延びる複数の巻取軸が、回転できる状態で支持されている。複数の巻取軸には、鉛直方向に垂れ下がる３本の中間用昇降コード２１が、ヘッドボックス１１の長手方向において間隔を空けて取り付けられている。３本の中間用昇降コード２１の各々は、中間レール１３に連結されている。また、複数の巻取軸には、鉛直方向に垂れ下がる３本のボトム用昇降コード２２の各々が、互いに異なる中間用昇降コード２１の近くに取り付けられている。３本のボトム用昇降コード２２の各々は、中間レール１３を貫通してボトムレール１５に連結されている。
【００１８】
中間用昇降コード２１とボトム用昇降コード２２とからなる３つのコード組のうち、例えば、ヘッドボックス１１の長手方向における両端部に近い２つのコード組は、スクリーン１２，１４に対して屋外側に配置されている。ヘッドボックス１１の長手方向における中央に近い１つのコード組は、スクリーン１２，１４に対して室内側に配置されている。
【００１９】
ヘッドボックス１１には、鉛直方向に垂れ下がる３本の蓄熱用ピッチ保持コード２３が、ヘッドボックス１１の長手方向にて間隔を空けて取り付けられている。３本の蓄熱用ピッチ保持コード２３の各々の下端は、中間レール１３に取り付けられている。３本の蓄熱用ピッチ保持コード２３は、蓄熱スクリーン１２に形成された複数の山折りに対し、互いに隣り合う山折りの上下方向における間隔を整える。
【００２０】
中間レール１３には、鉛直方向に垂れ下がる３本の遮熱用ピッチ保持コード２４が、ヘッドボックス１１の長手方向にて間隔を空けて取り付けられている。３本の遮熱用ピッチ保持コード２４は、互いに異なる蓄熱用ピッチ保持コード２３に対し、ヘッドボックス１１の長手方向にて重なる位置に配置されている。３本の遮熱用ピッチ保持コード２４の各々の下端は、ボトムレール１５に取り付けられている。３本の遮熱用ピッチ保持コード２４は、遮熱スクリーン１４に形成された複数の山折りに対し、互いに隣り合う山折りの上下方向における間隔を整える。
【００２１】
なお、蓄熱スクリーン１２の前後方向における中央に、中間用昇降コード２１の通される挿通孔が形成され、蓄熱スクリーン１２の前後方向における中央に、中間用昇降コード２１は通されてもよい。また、遮熱スクリーン１４の前後方向における中央に、ボトム用昇降コード２２の通される挿通孔が形成され、遮熱スクリーン１４の前後方向における中央に、ボトム用昇降コード２２は通されてもよい。
【００２２】
ヘッドボックス１１の巻取軸には、ボールチェーン２５が取り付けられている。ボールチェーン２５は、中間用昇降コード２１の巻き取り、および、送り出しと、ボトム用昇降コード２２の巻き取り、および、送り出しとを各別に行う。昇降装置１１Ａは、ボールチェーン２５の操作力を受ける１つの機構によって、これら中間用昇降コード２１の巻き取り、および、送り出しと、ボトム用昇降コード２２の巻き取り、および、送り出しを行う。
【００２３】
例えば、中間用昇降コード２１の取り付けられた巻取軸が、ボールチェーン２５の操作によって回転するとき、中間用昇降コード２１の巻き取り、および、送り出しが行われる。中間用昇降コード２１が巻き取られるとき、中間レール１３が上昇して、蓄熱スクリーン１２が折り畳まれる。一方で、中間用昇降コード２１が巻き取られるとき、蓄熱スクリーン１２が折り畳まれた分、遮熱スクリーン１４は上下方向に沿って延びて広がる。
【００２４】
これに対して、中間用昇降コード２１が送り出されるとき、中間レール１３が下降して、蓄熱スクリーン１２が上下方向に沿って延びて広がる。一方で、中間用昇降コード２１が送り出されるとき、蓄熱スクリーン１２が上下方向に沿って延びる分、遮熱スクリーン１４は折り畳まれる。
【００２５】
また、ボトム用昇降コード２２の取り付けられた巻取軸が、ボールチェーン２５の操作によって回転するとき、ボトム用昇降コード２２の巻き取り、および、送り出しが行われる。ボトム用昇降コード２２が巻き取られるとき、ボトムレール１５が上昇して、遮熱スクリーン１４が折り畳まれる。これに対して、ボトム用昇降コード２２が送り出されるとき、ボトムレール１５が下降して、遮熱スクリーン１４が上下方向に沿って延びて広がる。
【００２６】
蓄熱スクリーン１２を構成する蓄熱生地は、蓄熱性を有する生地であればよく、例えば、熱を蓄える蓄熱繊維が織り込まれた生地でもよいし、蓄熱繊維から形成される生地でもよい。また、蓄熱生地は、蓄熱性を有しない生地に日射吸収加工が施された生地であってもよいし、蓄熱性を有する生地にさらに日射吸収加工が施された生地であってもよい。
【００２７】
蓄熱生地における織編組織は、プリーツ加工のできる織編組織であればよく、例えば、平織、綾織、朱子織、トリコット編地の組織、横編地の組織である。
蓄熱繊維としては、例えば、赤外線吸収ポリマーが芯部として練り込まれた芯鞘構造のフィラメント糸が用いられる。日射吸収加工としては、例えば、赤外線吸収剤を含む日射吸収液に生地を浸す加工が用いられる。なお、蓄熱スクリーン１２がプリーツ形状であるため、蓄熱スクリーン１２が平面形状である構成と比べて、蓄熱機能を有する部分の表面積が大きくなる。それゆえに、蓄熱スクリーン１２そのものが発現する蓄熱効果も高められる。
【００２８】
遮熱スクリーン１４を構成する遮熱生地は、遮熱性を有する生地であればよく、例えば、熱を遮る遮熱繊維が織り込まれた生地でもよいし、遮熱繊維から形成される生地でもよい。また、遮熱生地は、遮熱性を有しない生地に日射反射加工の施された生地であってもよいし、遮熱性を有する生地にさらに日射反射加工の施された生地であってもよい。
【００２９】
遮熱生地における織編組織は、プリーツ加工のできる織編組織であればよく、例えば、平織、綾織、朱子織、トリコット編地の組織、横編地の組織である。
遮熱繊維としては、例えば、酸化チタンなどの赤外線反射セラミックが練り込まれたポリエステル加工糸が用いられる。日射反射加工としては、例えば、赤外線反射性分子をスパッタリングなどによって生地に固定する加工が用いられる。
【００３０】
図２に示されるように、各スクリーン１２，１４の織編組織が平織である場合に、各スクリーン１２，１４の各々は、上下方向に沿って延びる複数の縦糸Ｗｏと、左右方向に沿って延びる複数の横糸Ｗａとから構成される。
【００３１】
蓄熱スクリーン１２が、蓄熱繊維の織り込まれた生地として構成されるとき、蓄熱スクリーン１２の縦糸Ｗｏ、および、横糸Ｗａの少なくとも一方は、蓄熱繊維であればよい。なかでも、蓄熱スクリーン１２の縦糸Ｗｏ、および、横糸Ｗａのうち、横糸Ｗａが蓄熱繊維である構成が好ましい。蓄熱スクリーン１２の縦糸Ｗｏには、蓄熱スクリーン１２における折り畳みの繰り返しに対する強度、蓄熱スクリーン１２の折り目の変形を抑える強度などが求められる。そのため、蓄熱繊維に対する強度の制約を軽減させるうえでは、蓄熱スクリーン１２の縦糸Ｗｏに、これらの強度が満たされる他の繊維が用いられ、蓄熱スクリーン１２の横糸Ｗａに対し、蓄熱性が付与される構成が好ましい。
【００３２】
なお、蓄熱スクリーン１２の縦糸Ｗｏ、および、横糸Ｗａの両方が蓄熱繊維であれば、蓄熱スクリーン１２の縦糸Ｗｏ、または、横糸Ｗａが蓄熱繊維である構成と比べて、蓄熱スクリーン１２における蓄熱性が高められる。
【００３３】
遮熱スクリーン１４が、遮熱繊維の織り込まれた生地として構成されるとき、遮熱スクリーン１４の縦糸Ｗｏ、および、横糸Ｗａの少なくとも一方は、遮熱繊維であればよい。なかでも、遮熱スクリーン１４の縦糸Ｗｏ、および、横糸Ｗａのうち、横糸Ｗａが遮熱繊維である構成が好ましい。遮熱スクリーン１４の縦糸Ｗｏには、遮熱スクリーン１４における折り畳みの繰り返しに対する強度、遮熱スクリーン１４の折り目の変形を抑える強度などが求められる。そのため、遮熱繊維に対する強度の制約を軽減させるうえでは、遮熱スクリーン１４の縦糸Ｗｏに、これらの強度が満たされる他の繊維が用いられ、遮熱スクリーン１４の横糸Ｗａに対し、遮熱性が付与される構成が好ましい。
【００３４】
なお、遮熱スクリーン１４の縦糸Ｗｏ、および、横糸Ｗａの両方が遮熱繊維であれば、遮熱スクリーン１４の縦糸Ｗｏ、または、横糸Ｗａが遮熱繊維である構成と比べて、遮熱スクリーン１４における遮熱性が高められる。
【００３５】
蓄熱スクリーン１２の縦糸Ｗｏと、遮熱スクリーン１４の縦糸Ｗｏとは、互いに同じ種類の繊維であってもよい。蓄熱スクリーン１２の縦糸Ｗｏと、遮熱スクリーン１４の縦糸Ｗｏとには、折り畳みの繰り返しに対する強度や折り目の変形を抑える強度などが求められる。これら蓄熱スクリーン１２の縦糸Ｗｏと、遮熱スクリーン１４の縦糸Ｗｏとが、互いに同じ種類の繊維であれば、蓄熱スクリーン１２における強度と、遮熱スクリーン１４における強度とのばらつきが抑えられる。
【００３６】
さらに、蓄熱スクリーン１２の縦糸Ｗｏ、および、横糸Ｗａの両方が蓄熱繊維であるとき、遮熱スクリーン１４の縦糸Ｗｏも、同様に、蓄熱繊維であってもよい。こうした構成であれば、各スクリーン１２，１４間における強度のばらつきが抑えられ、かつ、蓄熱スクリーン１２における蓄熱性が高められもする。
【００３７】
反対に、遮熱スクリーン１４の縦糸Ｗｏ、および、横糸Ｗａの両方が遮熱繊維であるとき、蓄熱スクリーン１２の縦糸Ｗｏも、同様に、遮熱繊維であってもよい。こうした構成であれば、各スクリーン１２，１４間における強度のばらつきが抑えられ、かつ、遮熱スクリーン１４における遮熱性が高められもする。
【００３８】
蓄熱スクリーン１２における採光量と遮熱スクリーン１４における採光量とは、互いに同じ程度であることが好ましい。採光量が互いに等しい構成であれば、１つのプリーツスクリーン１０における採光機能のばらつきを抑えることが可能でもある。なお、スクリーンの採光量とは、通常、スクリーンを構成する横糸の単位面積あたりの本数、スクリーンを構成する縦糸の単位面積あたりの本数、横糸の太さ、縦糸の太さ、織組織によって大きく異なる。それゆえに、蓄熱スクリーン１２と遮熱スクリーン１４との間では、これら各条件の結果が、互いに同じである、あるいは、単位面積あたりに占める糸の量が互いに同じ程度になる関係であることが好ましい。
【００３９】
なお、各スクリーン１２，１４の織編組織が、綾織、朱子織、トリコット編地の組織、横編地の組織である構成であっても、上述した各スクリーン１２，１４の縦糸Ｗｏ、および、横糸Ｗａに関わる構成は、適用することが可能である。
【００４０】
［プリーツスクリーンの作用］
図３に示されるように、中間レール１３、および、ボトムレール１５の各々が、その移動範囲において最も下側に配置されるとき、遮熱スクリーン１４の全体は、中間レール１３とボトムレール１５との間で折り畳まれる。そして、蓄熱スクリーン１２の全体は、上下方向に沿って延ばされて窓ＷＤと互いに向かい合う。
【００４１】
遮熱スクリーン１４の全体が折り畳まれ、かつ、窓ＷＤと蓄熱スクリーン１２の全体とが互いに向かい合う状態は、プリーツスクリーン１０の蓄熱状態として設定される。そして、例えば、冬季の昼間にプリーツスクリーン１０が蓄熱状態に設定されると、屋外から室内に向けて入射する熱線Ｌは、蓄熱スクリーン１２において熱として蓄えられる。
【００４２】
図４に示されるように、プリーツスクリーン１０の蓄熱状態が、冬季の夜間まで設定され続けると、冬季の昼間に蓄熱スクリーン１２に蓄えられた熱Ｈは、蓄熱スクリーン１２から室内に向けて放出され、また、蓄熱スクリーン１２から窓ＷＤに向けて放出される。それゆえに、蓄熱スクリーン１２によって蓄えられた熱が、室内に向けた放出、または、温度低下の抑制のいずれか一方として機能する構成と比べて、室内空間における温度調節の補助の程度が高められる。
【００４３】
蓄熱スクリーン１２の下側では、床面Ｆに配置されたボトムレール１５と中間レール１３との間で、遮熱スクリーン１４の全体が折り畳まれている。それゆえに、蓄熱スクリーン１２と窓ＷＤとの間の空間では、窓ＷＤと空気との接触によって空気の温度が低下するとしても、温度の低下した空気である冷気Ａが蓄熱スクリーン１２の下側を通して室内に入ることが抑えられる。
【００４４】
結果として、蓄熱スクリーン１２から室内に向けた熱の放出、蓄熱スクリーン１２と窓ＷＤとの間における温度低下の抑制、および、蓄熱スクリーン１２と窓ＷＤとの間の空間における空気の室内への進入抑制によって、室内空間の温度低下は抑えられる。そして、プリーツスクリーン１０によって分けられた室内空間の温度の調節は、冬季においてプリーツスクリーン１０により補助される。
【００４５】
図５に示されるように、中間レール１３が、その移動範囲において最も上側に配置され、ボトムレール１５が、その移動範囲において最も下側に配置されるとき、蓄熱スクリーン１２の全体は、ヘッドボックス１１と中間レール１３との間で折り畳まれる。そして、遮熱スクリーン１４の全体は、上下方向に沿って延ばされて窓ＷＤと互いに向かい合う。
【００４６】
蓄熱スクリーン１２の全体が折り畳まれ、かつ、窓ＷＤと遮熱スクリーン１４の全体とが互いに向かい合う状態は、プリーツスクリーン１０の遮熱状態として設定される。そして、例えば、夏季の昼間にプリーツスクリーン１０が遮熱状態に設定されると、屋外から室内に向けて入射する熱線Ｌは、遮熱スクリーン１４によって室内に対して遮られる。
【００４７】
結果として、プリーツスクリーン１０を通した室内への熱の伝達が抑えられ、ひいては、室内空間の温度上昇が抑えられる。そして、プリーツスクリーン１０によって分けられた室内空間の温度の調節は、夏季においてプリーツスクリーン１０により補助される。
【００４８】
上記実施形態によれば、以下の効果が得られる。
（１）プリーツスクリーン１０によって分けられた室内空間の温度の調節は、例えば、冬季の夜間において、蓄熱スクリーン１２の蓄熱作用によって補助される。 
【００４９】
（２）プリーツスクリーン１０によって分けられた室内空間の温度の調節は、例えば、夏季の昼間において、遮熱スクリーン１４の遮熱作用によって補助される。
（３）蓄熱スクリーン１２によって蓄えられた熱は、蓄熱スクリーン１２から室内に向けた放出と、蓄熱スクリーン１２と窓ＷＤとの間における温度低下の抑制として機能する。それゆえに、蓄熱スクリーン１２によって蓄えられた熱が、室内に向けた放出、または、温度低下の抑制のいずれか一方として機能する構成と比べて、室内空間における温度調節の補助の程度が高められる。
【００５０】
（４）プリーツスクリーン１０の蓄熱状態では、遮熱スクリーン１４が、蓄熱スクリーン１２と床面Ｆとの間を塞ぐため、蓄熱スクリーン１２と窓ＷＤとの間の空間における冷気が室内へ進入することが抑えられる。
【００５１】
（５）蓄熱スクリーン１２の横糸Ｗａが、蓄熱繊維によって構成され、かつ、蓄熱スクリーン１２の縦糸Ｗｏが、蓄熱繊維以外の繊維から構成されるため、蓄熱繊維に対する強度の制約が軽減される。
【００５２】
（６）遮熱スクリーン１４の縦糸Ｗｏ、および、横糸Ｗａが、遮熱繊維によって構成され、かつ、蓄熱スクリーン１２の縦糸Ｗｏもまた、遮熱繊維によって構成されるため、蓄熱スクリーン１２における強度と、遮熱スクリーン１４における強度とのばらつきが抑えられる。
【００５３】
上記実施形態は、以下のように変更して実施することもできる。
・蓄熱スクリーン１２と遮熱スクリーン１４との並びは、上下方向に沿った配置に限らず、前後方向に沿った配置であってもよい。
【００５４】
図６に示されるように、例えば、プリーツスクリーンには、１つのヘッドボックス１１に、蓄熱スクリーン１２と、遮熱スクリーン１４とが、前後に並んで吊下げられている。蓄熱スクリーン１２の下端には、第１ボトムレール１５Ｆが取り付けられ、遮熱スクリーン１４の下端には、第２ボトムレール１５Ｂが取り付けられる。そして、１つのヘッドボックス１１に収容される１つの昇降装置の駆動によって、第１ボトムレール１５Ｆの昇降と、第２ボトムレール１５Ｂの昇降とが切り替えられ、蓄熱スクリーン１２が上下方向に沿って延びる状態と、遮熱スクリーン１４が上下方向に沿って延びる状態とを各別に有してもよい。こうした構成であっても、上記（１）〜（３）、（５）、（６）に準じた効果が得られる。
【００５５】
なお、蓄熱スクリーン１２は、遮熱スクリーン１４に対して室内側に配置されてもよいし、屋外側に配置されてもよい。要するに、蓄熱スクリーン１２の下端に連結されるレールと、遮熱スクリーン１４の下端に連結されるレールとが各別に昇降し、蓄熱スクリーン１２が広がる状態と、遮熱スクリーン１４が広がる状態とを各別に有する構成であればよい。
【００５６】
また、図６に示されるプリーツスクリーンでは、例えば、上記実施形態に示されるように、１つのヘッドボックス１１の前側に、蓄熱スクリーン１２と遮熱スクリーン１４とが上下に並んで吊下げられ、かつ、１つのヘッドボックス１１の後側に、遮光スクリーンが別途吊下げられてもよい。そして、１つのヘッドボックス１１に収容される１つの昇降装置の駆動によって、前側に配置される蓄熱スクリーン１２の昇降と、前側に配置される遮熱スクリーン１４の昇降と、後側に配置される遮光スクリーンの昇降とが切り替えられてもよい。
【００５７】
・蓄熱スクリーン１２の下端にボトムレール１５が連結され、かつ、遮熱スクリーン１４の下端に中間レール１３が連結されてもよい。すなわち、遮熱スクリーン１４が、ヘッドボックス１１と中間レール１３との間に配置され、蓄熱スクリーン１２が、中間レール１３とボトムレール１５との間に配置されてもよい。
【符号の説明】
【００５８】
Ａ…冷気、Ｆ…床面、Ｈ…熱、Ｌ…熱線、Ｗａ…横糸、ＷＤ…窓、Ｗｏ…縦糸、１０…プリーツスクリーン、１１…ヘッドボックス、１１Ａ…昇降装置、１２…蓄熱スクリーン、１３…中間レール、１４…遮熱スクリーン、１５…ボトムレール、１５Ｂ…第２ボトムレール、１５Ｆ…第１ボトムレール、２１…中間用昇降コード、２２…ボトム用昇降コード、２３…蓄熱用ピッチ保持コード、２４…遮熱用ピッチ保持コード、２５…ボールチェーン。
【図１】
2014224374.tif 000003
【図２】
2014224374.tif 000004
【図３】
2014224374.tif 000005
【図４】
2014224374.tif 000006
【図５】
2014224374.tif 000007
【図６】
2014224374.tif 000008